(57)【要約】【課題】移動形機器と正面扉に設けた開口部との隙間を可及的に小さくし、人的被害を防止することができ、正面扉を開放する際の正面扉と移動形機器との干渉を防ぐことができる配電盤を提供する。【解決手段】回転ハンドル２２が施錠位置に位置しているときには移動形機器１ｂと開口部１５ａとの隙間を閉塞するように開口部に突出し、回転ハンドルを解錠操作したときには開口部から退避して前記隙間を設ける閉塞機構２３を備えている。この閉塞機構は、回転ハンドルに連動し、ユニット室２に係合する施錠位置とユニット室との係合を解除する解除位置との間で回転する施錠部材２５と、この施錠部材に係合しながら正面扉１５に沿って配置され、施錠部材が施錠位置に回転したときに閉塞位置に閉塞板２４ｄが移動し、施錠部材が解除位置に回転したときに開口部から退避した退避位置に閉塞板が移動するスライド部２４とを備えている。【選択図】図４
2011019353.tif 000002
【特許請求の範囲】
【請求項１】
奥側に電源側断路部と負荷側断路部とが設けられたユニット室と、このユニット室で奥行き方向に沿った運転位置と断路位置との間を移動可能で前記運転位置にあるときに前記電源側断路部と前記負荷側断路部との間に電路を形成する移動形機器と、前記ユニット室の正面に軸支された開閉可能な正面扉と、この正面扉に形成され当該正面扉を閉鎖している状態で前記移動形機器を前記断路位置まで移動させたときに当該移動形機器の少なくとも一部を外側に突出させる開口部と、前記正面扉に設けられ当該正面扉の施錠・解錠操作を行なう回転ハンドルと、を備えた配電盤において、
前記回転ハンドルが施錠位置に位置しているときには前記移動形機器と前記開口部との隙間を閉塞するように前記開口部に突出し、前記回転ハンドルを解錠操作したときには前記開口部から退避して前記隙間を設ける閉塞機構を備えていることを特徴とする配電盤。
【請求項２】
前記閉塞機構は、前記回転ハンドルに連動し、前記ユニット室に係合する施錠位置と前記ユニット室との係合を解除する解除位置との間で回転する施錠部材と、
この施錠部材に係合しながら前記正面扉に沿って配置され、当該施錠部材が施錠位置に回転したときに前記開口部に突出する閉塞位置に閉塞板が移動し、前記施錠部材が解除位置に回転したときに前記開口部から退避した退避位置に前記閉塞板が移動するスライド部と、を備えていることを特徴とする請求項１記載の配電盤。
【請求項３】
前記施錠部材には、回転中心から外方に延在する閉塞部回動アームが形成され、この閉塞部回動アームの先端に回動ピンが固定されており、前記スライド部は、前記閉塞板が移動する方向に対して直交する方向に直線状に延在する回動用長穴が形成されており、
前記回動ピンが前記回動用長穴に摺動自在に配置され、前記施錠部材の回転運動が、前記回動ピン及び回動用長穴を介して前記スライド部に直線運動として伝達されるようにしたことを特徴とする請求項２記載の配電盤。
【発明の詳細な説明】
【技術分野】
【０００１】
本発明は、配電盤に関するものであり、特に移動形機器（引出し形）を盤内で移動させることにより、電源側と負荷側との間に電路を形成するものである。
【背景技術】
【０００２】
高圧受配電設備などに使用される配電盤では、遮断器などの開閉器が搭載された移動形機器を単位ユニットとして上下方向に１段または多段積みにして配電盤に収納する方法がある。このような配電盤では、運転位置と断路位置との間で移動形機器を配電盤の奥行き方向に移動させることにより、電源側と負荷側との間に電路を形成することができる。移動形機器を運転位置から断路位置へ引出す断路操作、及び移動形機器を断路位置から運転位置へ押込む投入操作は、正面扉を開放してから行うのが一般的である。
【０００３】
一方、アーク放電による人的被害を防止するために、正面扉に開口部を形成することで、正面扉を開放せずに、その開口部を介して、外側から移動形機器の断路操作や投入操作を行うことができる配電盤が知られている（例えば、特許文献１）。
【先行技術文献】
【特許文献】
【０００４】
【特許文献１】特開２００９−１１８５６７号
【発明の概要】
【発明が解決しようとする課題】
【０００５】
ところが、特許文献１の配電盤は、移動形機器を引出した状態で正面扉を開放するときもある。したがって、正面扉がヒンジによる片開き構造であるとすると、移動形機器を引出した状態では、正面扉を開放する際に、正面扉と移動形機器とが干渉することになる。
これを避けるためには、正面扉の開口部を大きくする必要があるが、それでは正面扉を閉鎖した状態のときに、移動形機器と開口部との隙間が大きくなってしまう。
【０００６】
そこで、本発明は、移動形機器と正面扉に設けた開口部との隙間を可及的に小さくし、人的被害を防止することができるとともに、正面扉を開放する際の正面扉と移動形機器との干渉を防ぐことができる配電盤を提供することを目的としている。
【課題を解決するための手段】
【０００７】
上記目的を達成するために、本発明に係る配電盤は、奥側に電源側断路部と負荷側断路部とが設けられたユニット室と、このユニット室で奥行き方向に沿った運転位置と断路位置との間を移動可能で前記運転位置にあるときに前記電源側断路部と前記負荷側断路部との間に電路を形成する移動形機器と、前記ユニット室の正面に軸支された開閉可能な正面扉と、この正面扉に形成され当該正面扉を閉鎖している状態で前記移動形機器を前記断路位置まで移動させたときに当該移動形機器の少なくとも一部を外側に突出させる開口部と、前記正面扉に設けられ当該正面扉の施錠・解錠操作を行なう回転ハンドルと、を備えた配電盤において、前記回転ハンドルが施錠位置に位置しているときには前記移動形機器と前記開口部との隙間を閉塞するように前記開口部に突出し、前記回転ハンドルを解錠操作したときには前記開口部から退避して前記隙間を設ける閉塞機構を備えている。
【０００８】
この発明によると、回転ハンドルが施錠位置に位置しているときには、閉塞機構が開口部との隙間を閉塞するように開口部に突出し、回転ハンドルを解錠操作したときには、閉塞機構が開口部から退避して隙間を設けるようにしているので、正面扉を閉鎖しても移動形機器と開口部との隙間が可及的に小さくなるとともに、正面扉を開放する際に正面扉と移動形機器との干渉が防止される。
【０００９】
また、本発明に係る配電盤は、前記閉塞機構が、前記回転ハンドルに連動し、前記ユニット室に係合する施錠位置と前記ユニット室との係合を解除する解除位置との間で回転する施錠部材と、この施錠部材に係合しながら前記正面扉に沿って配置され、当該施錠部材が施錠位置に回転したときに前記開口部に突出する閉塞位置に閉塞板が移動し、前記施錠部材が解除位置に回転したときに前記開口部から退避した退避位置に前記閉塞板が移動するスライド部とを備えている。
【００１０】
この発明によると、閉塞機構が、回転ハンドルに連動して正面扉の施錠・解錠を行なう施錠部材と、この施錠部材に係合して正面扉に沿ってスライド移動するスライド部とで構成されて部品点数が少ないので、閉塞機構の組立作業の簡便化を図ることができる。
また、本発明に係る配電盤は、前記施錠部材に、回転中心から外方に延在する閉塞部回動アームが形成され、この閉塞部回動アームの先端に回動ピンが固定されており、前記スライド部は、前記閉塞板が移動する方向に対して直交する方向に直線状に延在する回動用長穴が形成されており、前記回動ピンが前記回動用長穴に摺動自在に配置され、前記施錠部材の回転運動が、前記回動ピン及び回動用長穴を介して前記スライド部に直線運動として伝達されるようにした。
【００１１】
この発明によると、施錠部材の閉塞部回動アームの先端に固定した回動ピンが、スライド部に形成した直線状の回動用長穴に摺動自在に配置され、施錠部材の回転運動が、回動ピン及び回動用長穴を介してスライド部に直線運動として伝達されるので、回転ハンドルの回転操作だけでスライド部の閉塞板の閉塞位置及び退避位置の間の移動を簡単に行なうことができる。
【発明の効果】
【００１２】
本発明に係る配電盤によれば、正面扉を閉鎖しているときには、閉塞機構が開口部との隙間を閉塞するように開口部に突出しているので、移動形機器と開口部との隙間を可及的に小さくし、人的被害を防止することができるとともに、回転ハンドルの解錠操作という簡単な操作だけで閉塞機構が開口部から退避するので、正面扉を開放する際の正面扉と移動形機器との干渉を防ぐことができる。
【図面の簡単な説明】
【００１３】
【図１】配電盤の概略構成である。
【図２】正面扉に取付ける保護カバーを示す斜視図である。
【図３】正面扉を施錠しているときの回転ハンドルの位置を示す正面図である。
【図４】正面扉を施錠しているときの閉塞機構を示す平面図である。
【図５】正面扉を解錠して正面扉を開放したときの閉塞機構を示す平面図である。
【図６】正面扉を施錠しているときの閉塞機構を構成するスライド部の位置を示す正面図である。
【図７】回転ハンドルを解錠操作したときの閉塞機構を構成するスライド部の位置を示す正面図である。
【図８】閉塞機構を構成する施錠部材の構造を示す図である。
【図９】図４のＡ−Ａ線矢視図である。
【発明を実施するための形態】
【００１４】
以下、本発明を実施するための形態（以下、実施形態という。）を、図面を参照しながら詳細に説明する。
図１は、配電盤の概略構成である。配電盤には、移動形機器１を収納するユニット室２が設けられ、ユニット室２には、移動形機器１が単位ユニットとして１段または多段積みにして収納される。ここで、ユニット室２は、ユニットテーブル２ａにて上下方向に区画され、ユニットテーブル２ａ上に移動形機器１が支持されている。また、ユニット室２には、断路位置２ｃと運転位置２ｄとの間の移動距離４ａに対応したスペースが奥行き方向２ｂに形成され、ユニット室２の前面には、開閉可能な正面扉１５が設けられている。
【００１５】
また、ユニット室２の奥側には、負荷側に断路を形成する負荷側断路部１３ａと、電源側（又は母線側）に断路を形成する電源側断路部１３ｂとが設けられ、夫々、ブッシング３ａ、３ｂを介して絶縁された状態で保持されている。
移動形機器１には、正面パネル１ａが設けられ、正面パネル１ａの前面には、ロックや位置ロックなどを行う操作部１ｂが設けられると共に、移動形機器１を引出したり押込んだりする取手１ｃが形成されている。また、移動形機器１の底面には、ユニットテーブル２ａ上で移動形機器１を移動させる車輪１１ｃが設けられている。さらに、移動形機器１の後方には、負荷側断路部１３ａとの間で電路を形成する負荷側接触端子１１ａと、電源側断路部１３ｂとの間で電路を形成する電源側接触端子１１ｂとが設けられている。
【００１６】
正面扉１５には、移動形機器１に設けられた操作部１ｂおよび取手１ｃの少なくとも一部を外部に突出させる開口部１５ａが形成されている。また、正面扉１５には、移動形機器１に設けられた操作部１ｂおよび取手１ｃの少なくとも一部が突出した状態で開口部１５ａを覆う防塵用の保護カバー６が脱着自在に装着されている。ここで、保護カバー６には、図２に示すように、正面扉１５に保護カバー６を装着するための取り付け金具６ａが設けられている。
【００１７】
したがって、正面扉１５を閉じたままでも、保護カバー６を外せば、開口部１５ａを介して移動形機器１を外側から移動、或いは開口部１５ａを介して移動形機器１を外側から操作することができる。
図１（ａ）は、移動形機器１を運転位置２ｄに移動させることで、負荷側断路部１３ａと負荷側接触端子１１ａとを接触させ、負荷側断路部１３ａと負荷側接触端子１１ａとの間で電路を形成すると共に、電源側断路部１３ｂと電源側接触端子１１ｂとを接触させ、電源側断路部１３ｂと電源側接触端子１１ｂとの間で電路を形成した状態である。
【００１８】
図１（ｂ）は、移動形機器１を断路位置２ｃに移動させることで、負荷側断路部１３ａと負荷側接触端子１１ａとを離間させ、負荷側断路部１３ａと負荷側接触端子１１ａとの間の電路を遮断すると共に、電源側断路部１３ｂと電源側接触端子１１ｂとを離間させ、電源側断路部１３ｂと電源側接触端子１１ｂとの間の電路を遮断した状態である。
このように、移動形機器１を外側から移動、或いは操作してから、正面扉１５に保護カバー６を装着することにより、防塵効果を得ることができ、且つ操作部１ｂの誤操作を防止することができる。
【００１９】
正面扉１５は、図３及び図４に示すように、正面に向かって左側がヒンジ２１を介してユニット室２を形成する筐体に軸支されているとともに、右側の上部にハンドル２２が設けられている。ハンドル２２は左回りに回転可能に正面扉１５に支持されているとともに、正面扉１５の裏側には、ハンドル２２に連動する施錠部材２５が設けられている。
図４に示すように、正面扉１５に設けた開口部１５ａは、一点鎖線で示す運転位置から実線で示す断路位置まで移動形機器１を引出した状態で正面扉１５を開閉する際には、正面扉１５と操作部１ｂとの干渉を防ぐために、操作部１ｂを正面から見た外形分よりも横方向（ここでは右側）に余計に開口している。しかしながら、正面扉１５を閉鎖した状態では、余計に開口した分だけ操作部１ｂ及び開口部１５ａの隙間（図４の符号Ｇ）が大きくなるので、この隙間Ｇを閉塞する閉塞機構２３を備えている。
【００２０】
閉塞機構２３は、図４に示すように、正面扉１５の裏面にスライド自在に配置されたスライド部２４と、このスライド部２４の裏側に配置され、ハンドル２２に連動してユニット室２の内壁に設けた鍵受け３０に対して施錠・解錠動作を行なうとともに、スライド部２４を水平方向に回動させる施錠部材２５とで構成されている。
図８は、施錠位置の施錠部材２５を示すものであり、この施錠部材２５は、正面扉１５を貫通したハンドル２２の軸２２ａに連結してハンドル２２とともに一体に回転する板状の回転体２５ａと、回転体２５ａの回転中心から径方向外方に突出している板状のバネ連結アーム２５ｂ、閉塞部回動アーム２５ｃ及び施錠アーム２５ｄとを備えている。
【００２１】
バネ連結アーム２５ｂの先端部には、引張りコイルバネ２６の一端が連結されている。引張りコイルバネ２６の他端は、正面扉１５の裏側に配置したバネ係合部材２７に連結されている。そして、ハンドル２２の解錠操作により施錠部材２５が左回りに回転して解錠位置になると、引張りコイルバネ２６の引張り付勢力がバネ連結アーム２５ｂに作用し、施錠部材２５を元の位置に戻そうとする右回りの回転が伝達されるようになっている。
【００２２】
閉塞部回動アーム２５ｃの先端側には、後述するスライド部２４の回動用長穴３３に挿入する回動ピン２８が固定されている。
また、図４及び図９に示すように、ユニット室２の内壁に設けたブラケットからなる鍵受け３０には、上下方向に延在した係合スリット３０ａが形成されている。施錠部材２５の施錠アーム２５ｄは、施錠位置では係合スリット３０ａに入り込んで係合し（図９の実線で示す位置）、施錠部材２５が左回転した解錠位置では係合スリット３０ａの上方に位置し、係合スリット３０ａとの係合を解除する（図９の破線で示す位置）。
【００２３】
スライド部２４は、図６に示すように、開口部１５ａの上部に位置して正面扉１５の裏側に配置されている第１スライド板２４ａと、この第１スライド板２４ａから開口部１５ａの右側に沿って下方に延在している長尺板２４ｂと、この長尺板２４ｂの下端から第１スライド板２４ａと平行に延在している第２スライド板２４ｃと、長尺板２４ｂの幅方向の一側から開口部１５ａに向けて突出して長尺板２４ｂの長手方向全域に固定された帯状パッキン２４ｄとを備えている。
【００２４】
第１スライド板２４ａ及び第２スライド板２４ｃには、水平方向に延在するスライド用長穴３１が複数形成され、各スライド用長穴３１には、正面扉１５の裏側に固定したスライドピン３２が挿入されており、スライドピン３２がスライド用長穴３１の長手方向に摺動することによって、スライド部２４は水平方向に移動自在に正面扉１５に保持されている。
【００２５】
また、第１スライド板２４ａには、上下方向に延在する直線状の回動用長穴３３が形成されており、この回動用長穴３３に、前述した閉塞部回動アーム２５ｃの回動ピン２８が挿入されている。そして、ハンドル２２の解錠操作（左回転）とともに連動する施錠部材２５が解錠位置になると、回動用長穴３３の下端に位置していた回動ピン２８が図８の破線で示す位置に移動するので、スライド部２４が寸法Ｌだけ正面扉１５の右側位置（退避位置）に水平移動するようになっている。
【００２６】
次に、上述した閉塞機構２３の動作について、図４から図８を参照して説明する。
図４に示すように、移動形機器１を断路位置に引き出した状態でハンドル２２の解錠操作を行なっていないときには、施錠部材２５の施錠アーム２５ｄが、ユニット室２の内壁に設けた鍵受け３０の係合スリット３０ａに入り込むことで、正面扉１５が施錠された状態となる。
【００２７】
この正面扉１５の施錠状態のとき、図６に示すように、スライド部２４の帯状パッキン２４ｄが開口部１５ａに向けて突出し、移動形機器１の操作部１ｂに当接した閉塞位置に位置するので、開口部１５ａと移動形機器１の間に隙間が存在しない。
次に、ハンドル２２の解錠操作（左回転）を行なうと、図５に示すように、施錠部材２５もハンドル２２に連動して左回転する。施錠部材２５の左回転により、ユニット室２の内壁の係合スリット３０ａに入り込んでいた施錠アーム２５ｄが鍵受け３０の上方に移動するので、正面扉１５が解錠された状態となって開閉動作が可能となる。
【００２８】
ここで、施錠部材２５の左回転により閉塞部回動アーム２５ｃが上方に移動すると、図７に示すように、この閉塞部回動アーム２５ｃの先端に固定されている回動ピン２８が、回動用長穴３３の上端に移動するので（図８参照）、スライド部２４が正面扉１５の右側に水平移動する。このスライド部２４の右側への水平移動により、図７に示すように、スライド部２４の帯状パッキン２４ｄが正面扉１５の裏側の退避位置に移動していくので、操作部１ｂ及び開口部１５ａの間に、正面扉１５を開閉しても操作部１ｂに干渉しない隙間Ｇが設けられる。
【００２９】
また、ハンドル２２から手を離すと、施錠部材２５のバネ連結アーム２５ｂ及び正面扉１５の裏側のバネ係合部材２７間を連結している引張りコイルバネ２６が施錠部材２５にバネ付勢力を付与し、施錠部材２５を右回転させて元の位置に戻す。施錠部材２５が右回転すると、閉塞部回動アーム２５ｃの先端に固定されている回動ピン２８が回動用長穴３３の下端に移動する。これにより、スライド部２４が正面扉１５の左側に水平移動していくので、図６に示すように、パッキン２４ｄが開口部１５ａに向けて突出した閉塞位置に位置する。
【００３０】
次に、上記実施形態の効果について説明する。
本実施形態によると、ユニット室２の前面の正面扉１５に、移動形機器１に設けた操作部１ｂおよび取手１ｃの少なくとも一部を外部に突出させる開口部１５ａが形成されており、外部操作機構を別途設けることなく、正面扉１５を閉鎖したままで移動形機器１を外部から断路位置２ｃ及び運転位置２ｄに移動させたり、移動形機器１を外部から操作することができるので、コストアップを抑制しつつ、配電盤のコンパクト化を図ることができる。
【００３１】
ここで、移動形機器１を断路位置２ｃまで引出した状態で、正面扉１５を開閉する際に、正面扉１５と移動形機器１との干渉を防ぐために、開口部１５ａは、移動形機器１を正面から見た外形分よりも横方向（ここでは右側）に余計に開口している。
そこで、正面扉１５を閉塞しているときには、スライド部２４の帯状パッキン２４ｄが開口部１５ａに突出して操作部１ｂとの隙間を閉塞する閉塞位置に移動し、操作部１ｂと開口部１５ａとの隙間を可及的に小さくするので、人的被害を防止することができる。また、ハンドル２２の解錠操作という簡単な操作を行なうだけで、帯状パッキン２４ｄが開口部１５から退避位置に移動するので、正面扉１５を開放する際の正面扉１５と操作部１ｂとの干渉を防ぐことができる。
【００３２】
また、閉塞機構２３は、ハンドル２２に連動して正面扉１５の施錠・解錠を行なう施錠部材２５と、この施錠部材２５に係合して正面扉１５の裏面に水平方向に移動自在に配置したスライド部２４とで構成され部品点数が少ないので、閉塞機構２３の組立作業の簡便化を図ることができる。
さらに、施錠部材２５の閉塞部回動アーム２４ｃの先端に固定した回動ピン２８が、スライド部２４の第１スライド板２４ａに形成した直線状の回動用長穴３３に挿入され、施錠部材２５の回転運動が、回動ピン２８及び回動用長穴３３を介してスライド部２４に直線運動として伝達されるので、ハンドル２２の回転操作だけで帯状パッキン２４ｄの閉塞位置及び退避位置の間の移動を簡単に行なうことができる。
【００３３】
なお、上記の実施形態では、正面扉１５の左側を軸支し、右側から開く構造について説明したが、これに限定されるものではない。すなわち、右側を軸支して左側から開く構造や、上側を軸支して下側から開く構造、また下側を軸支して上側から開く構造など、如何なる開き方向であっても、本発明を適用できる。
【符号の説明】
【００３４】
１…移動形機器、１ａ…正面パネル、１ｂ…操作部、１ｃ…取手、２…ユニット室、２ａ…ユニットテーブル、２ｂ…奥行き方向、２ｃ…断路位置、２ｄ…運転位置、３ａ…ブッシング、４ａ…移動距離、６…保護カバー、６ａ…取付け金具、１１ａ…負荷側接触端子、１１ｂ…電源側接触端子、１１ｃ…車輪、１３ａ…負荷側断路部、１３ｂ…電源側断路部、１５…正面扉、１５ａ…開口部、２１…ヒンジ、２２…ハンドル（回転ハンドル）、２２ａ…軸、２３…閉塞機構、２４…スライド部、２４ａ…第１スライド板、２４ｂ…長尺板、２４ｃ…第２スライド板、２４ｄ…帯状パッキン（閉塞板）、２５…施錠部材、２５ａ…回転部、２５ｂ…バネ連結アーム、２５ｃ…閉塞部回動アーム、２５ｄ…施錠アーム、２６…引張りコイルバネ、２７…バネ係合部材、２８…回動ピン、３０ａ…係合スリット、３１…スライド用長穴、３２…スライドピン、３３…回動用長穴、Ｇ…隙間
【図１】
2011019353.tif 000003
【図２】
2011019353.tif 000004
【図３】
2011019353.tif 000005
【図４】
2011019353.tif 000006
【図５】
2011019353.tif 000007
【図６】
2011019353.tif 000008
【図７】
2011019353.tif 000009
【図８】
2011019353.tif 000010
【図９】
2011019353.tif 000011